(57)【要約】【課題】車体にロゴマークなどの文字又は／及び図形を表した自動車であって、文字又は／及び図形が車体のどのような部位に表されたかに拘わりなく、表された文字又は／及び図形を特定の方向から見た場合に必ず本来の正しい形（正規の寸法形状）に見え、しかも表された文字又は／及び図形による意匠的な効果が得られ、人目を惹きやすい外観を有する自動車を提供する。【解決手段】アナモルフォーズと呼ばれる錯視効果を利用した表現手法で車体にロゴマークなどの文字又は／及び図形を表すものであり、文字又は／及び図形が、非正規の寸法形状であって、且つ特定の方向から見た場合に錯視効果により正規の寸法形状に見えるように、車体に表さる。【選択図】図３
0003209303.tif 000002
【実用新案登録請求の範囲】
【請求項１】
車体に文字又は／及び図形を表した自動車であって、
文字又は／及び図形が、非正規の寸法形状であって、且つ特定の方向から見た場合に錯視効果により正規の寸法形状に見えるように、車体に表されたことを特徴とする自動車。
【請求項２】
文字又は／及び図形が、車体の異なる部位を跨いで表されたことを特徴する請求項１に記載の自動車。
【請求項３】
文字又は／及び図形が、ボンネット、フェンダー、ドア、リアフェンダー、トランクカバー又はハッチ、ルーフの中から選ばれる２つ以上の部位を跨いで表されたことを特徴とする請求項２に記載の自動車。
【請求項４】
文字又は／及び図形が、当該車両とほぼ同レベルの路面上に立つ人間が特定の方向から見た場合に錯視効果により正規の寸法形状に見えるように、車体に表されたことを特徴とする請求項１〜３のいずれかに記載の自動車。
【請求項５】
文字又は／及び図形が、その一部が窓部で欠損するように、車体に表されたことを特徴とする請求項１〜４のいずれかに記載の自動車。
【考案の詳細な説明】
【技術分野】
【０００１】
この考案は、社名や商品名のロゴタイプやこれに標章を組み合わせたロゴマークなどを車体に特殊な形態で表した自動車に関する。
【背景技術】
【０００２】
従来、業務用自動車の車体に社名や商品名のロゴタイプやこれに標章を組み合わせたロゴマークなどを表示することが広く行われている。ここで、会社の社名・社章を表すロゴマークを例にとると、一般に会社のロゴマークは寸法（縦横比など）が厳密に決められていて、その運用も詳細に定められている。このため、このようなロゴマークを業務用自動車の車体に表示する場合も、それに従って行われるのが通常である。例えば、特許文献１には、このような表示のために車体に張り付けるマーキングステッカーが示されている。
【先行技術文献】
【特許文献】
【０００３】
【特許文献１】実開平７−２６８６２号公報
【考案の概要】
【考案が解決しようとする課題】
【０００４】
会社のロゴマークなどを、決められた寸法（縦横比など）通りに車体に表しても、そのロゴマークが本来の正しい形（正規の寸法形状）に見えるのは、特定の方向から見た場合に限られる。例えば、ロゴマークをドア部分に表した場合には、ドア部分と相対する方向（車体側方）から見た場合に限り本来の正しい形に見える。一方、ロゴマークをボンネットに表した場合には、ほぼ真上から見た場合に限り本来の正しい形に見えるので、車両から少し離れた場所を通行している人間や他の車両に乗っている人間からは、本来の正しい形に見えることはない。さらに、例えば、１つのロゴマークをボンネット、フェンダー及びフロントドアなどを跨ぐように表した場合には、どの方向から見ても本来の正しい形に見えることはない。このため従来では、会社のロゴマークなどを表示できる車体の部位や表示形態に一定の制限があった。
また、会社のロゴタイプやロゴマークなどを決められた寸法通りにドア部分などに表示しても、意匠的な効果に乏しく、人目を惹くような外観にはなりにくい。
【０００５】
したがって本考案の目的は、以上のような従来の課題を解決し、車体にロゴマークなどの文字又は／及び図形を表した自動車であって、文字又は／及び図形が車体のどのような部位に表されたかに拘わりなく、表された文字又は／及び図形を特定の方向から見た場合に必ず本来の正しい形（正規の寸法形状）に見え、しかも表された文字又は／及び図形による意匠的な効果が得られ、人目を惹きやすい外観を有する自動車を提供することにある。
【課題を解決するための手段】
【０００６】
上記課題を解決するための本考案は、いわゆるアナモルフォーズと呼ばれる錯視効果を利用した表現手法で車体にロゴマークなどの文字又は／及び図形を表すものであり、その要旨は以下のとおりである。
［1］車体に文字又は／及び図形を表した自動車であって、文字又は／及び図形が、非正規の寸法形状であって、且つ特定の方向から見た場合に錯視効果により正規の寸法形状に見えるように、車体に表されたことを特徴とする自動車。
［2］上記［1］の自動車において、文字又は／及び図形が、車体の異なる部位を跨いで表されたことを特徴する自動車。
【０００７】
［3］上記［2］の自動車において、文字又は／及び図形が、ボンネット、フェンダー、ドア、リアフェンダー、トランクカバー又はハッチ、ルーフの中から選ばれる２つ以上の部位を跨いで表されたことを特徴とする自動車。
［4］上記［1］〜［3］のいずれかの自動車において、文字又は／及び図形が、当該車両とほぼ同レベルの路面上に立つ人間が特定の方向から見た場合に錯視効果により正規の寸法形状に見えるように、車体に表されたことを特徴とする自動車。
［5］上記［1］〜［4］のいずれかの自動車において、文字又は／及び図形が、その一部が窓部で欠損するように、車体に表されたことを特徴とする自動車。
【考案の効果】
【０００８】
本考案の自動車は、車体にロゴマークなどの文字又は／及び図形を表した自動車において、文字又は／及び図形が車体のどのような部位に表されたかに拘わりなく、表された文字又は／及び図形を特定の方向から見た場合に必ず本来の正しい形（正規の寸法形状）に見え、しかも表された文字又は／及び図形による意匠的な効果、すなわち文字又は／及び図形が装飾のように見える効果も得られるため、外観が人目を惹きやすいという利点がある。
【０００９】
すなわち、会社のロゴマークを例にとると、ロゴマークを車体のどの部位に表しても、或いは複数の部位を跨いで表しても、表された文字又は／及び図形を特定の方向から見た場合に錯視効果により必ず本来の正しい形（正規の寸法形状）に見える。しかも、自動車の車体は曲面や平面が複雑に組み合わされた形状を有しており、このような車体表面に、特定の方向から見た場合に錯視効果により本来の正しい形（正規の寸法形状）に見えるようにロゴマークを表した場合、相当程度に歪んだ寸法形状のロゴマークになるため、ロゴマーク風の模様（絵柄）が車体を覆う外観となり、車体の装飾のように見えるため、人目を惹きやすい車体となる。
【図面の簡単な説明】
【００１０】
【図１】車体に社名などのロゴタイプを表した本考案の自動車の一実施形態を示すもので、自動車の正面斜め上方からの斜視図
【図２】図１の実施形態の自動車の側面図
【図３】図１の実施形態の自動車において、車体に表したロゴタイプが錯視効果により正規の寸法形状に見える特定の方向からの斜視図
【考案を実施するための形態】
【００１１】
図１〜図３は、車体に社名などのロゴタイプを表した本考案の自動車の一実施形態を示すもので、図１は正面斜め上方からの斜視図、図２は側面図、図３は、車体に表したロゴタイプが錯視効果により正規の寸法形状に見える特定の方向からの斜視図である。
本考案の自動車は、車体に文字又は／及び図形を表した自動車であり、文字又は／及び図形とは、例えば、社名や商品名のロゴタイプやこれに標章を組み合わせたロゴマークなどであり、本実施形態では「ＤＥＮＫＯＳＨＡ」の文字からなるロゴタイプである。
【００１２】
このロゴタイプは、車体に対して、非正規の寸法形状で表される（図１及び図２）とともに、特定の方向から見た場合に錯視効果によって正規の寸法形状に見えるように表されている（図３）。すなわち、いわゆるアナモルフォーズと呼ばれる錯視効果を利用した表現手法で車体に表わされている。アナモルフォーズとは、遠近法を利用して画像を歪めて描き、ある視点から見たときのみ原像が浮かびあがる（本来の正しい形に見える）ようにした表現方法である。
また、このロゴタイプは、この車両とほぼ同レベルの路面上に立つ人間が特定の方向から見た場合に、錯視効果により正規の寸法形状に見えるように車体に表されている。
【００１３】
本考案では、文字又は／及び図形を、車体の異なる部位を跨いで表すことができ、例えば、ボンネット、フェンダー、ドア、リアフェンダー、トランクカバー又はハッチ、ルーフの中から選ばれる２つ以上の部位を跨いで表すことができる。本実施形態では、「ＤＥＮＫＯＳＨＡ」の文字からなるロゴタイプは、ボンネット１、フェンダー２、フロントドア３a、リアドア３b及びリアフェンダー４を跨いで表されている。
なお、文字又は／及び図形を、その一部が窓部などで欠損するように車体に表してもよく、このように表しても、脳が図柄を文字として認識する場合は欠損部を補完するため、特に支障はない。
【００１４】
車体表面へのロゴタイプの表し方（描き方）は任意であり、粘着式シートなどのシート類を張り付けてもよいし、ペイントしてもよい。また、車体表面に表すロゴタイプの寸法形状や表示位置の決め方も任意であり、計算で決めてもよいし、他の方法で決めてもよい。
本実施形態では「ＤＥＮＫＯＳＨＡ」の文字からなるロゴタイプを車体に表したが、車体に表す文字又は／及び図形に制限はなく、任意のものを表すことができる。
【００１５】
本考案では、特定の方向から見た場合に錯視効果により必ず本来の正しい形（正規の寸法形状）に見えるように、文字又は／及び図形を車体に表すので、文字又は／及び図形を車体のどの部位に表してもよく、また、図１〜図３の実施形態のように複数の部位を跨いで表してもよい。
自動車の車体は曲面や平面が複雑に組み合わされた形状を有しており、このような車体表面に、特定の方向から見た場合に錯視効果により本来の正しい形（正規の寸法形状）に見えるようにロゴタイプを表した場合、図１及び図２に示すように相当程度に歪んだ寸法形状のロゴマークになるため、ロゴマーク風の模様（絵柄）が自動車の車体を覆う外観となり、車体の装飾のように見えるため、人目を惹きやすい車体となる。
【符号の説明】
【００１６】
１  ボンネット
２  フェンダー
３a  フロントドア
３b  リアドア
４  リアフェンダー
【図１】
0003209303.tif 000003
【図２】
0003209303.tif 000004
【図３】
0003209303.tif 000005